(57)【特許請求の範囲】
【請求項１】
遊技が可能な遊技機であって、
遊技媒体を誘導する経路を備え、
前記経路は、
前記経路の少なくとも一面を形成する第１経路部材と、
前記経路の少なくとも前記一面に対向する他面を形成する第２経路部材と、
を組合せることにより構成され、
前記第１経路部材は、
前記一面を形成する第１壁部に立設された立壁部と、
前記立壁部の先端部に形成された係合部と、
を有し、
前記第２経路部材は、前記他面を形成する第２壁部に形成された被係合部を有し、
前記被係合部は、前記第１経路部材と前記第２経路部材とを組合せることにより前記係合部が係合することで、前記立壁部の先端部を保持し、
前記立壁部は、前記経路の前記一面と前記他面との間の面を形成し、
前記経路は、
遊技媒体を流下させ遊技機外へ排出する遊技媒体抜き経路と、
遊技媒体を払い出すための遊技媒体払出経路と、
を含み、
前記遊技媒体抜き経路は、前記遊技媒体払出経路に隣接して設けられ、
前記第１壁部は、前記遊技媒体抜き経路と前記遊技媒体払出経路の一面を形成し、
前記第２壁部は、前記遊技媒体抜き経路と前記遊技媒体払出経路の一面に対向する他面を形成する
ことを特徴とする遊技機。
【請求項２】
遊技機に対応して設けられる遊技用装置であって、
遊技媒体を誘導する経路を備え、
前記経路は、
前記経路の少なくとも一面を形成する第１経路部材と、
前記経路の少なくとも前記一面に対向する他面を形成する第２経路部材と、
を組合せることにより構成され、
前記第１経路部材は、
前記一面を形成する第１壁部に立設された立壁部と、
前記立壁部の先端部に形成された係合部と、
を有し、
前記第２経路部材は、前記他面を形成する第２壁部に形成された被係合部を有し、
前記被係合部は、前記第１経路部材と前記第２経路部材とを組合せることにより前記係合部が係合することで、前記立壁部の先端部を保持し、
前記立壁部は、前記経路の前記一面と前記他面との間の面を形成し、
前記経路は、
遊技媒体を流下させ遊技用装置外へ排出する遊技媒体抜き経路と、
遊技媒体を払い出すための遊技媒体払出経路と、
を含み、
前記遊技媒体抜き経路は、前記遊技媒体払出経路に隣接して設けられ、
前記第１壁部は、前記遊技媒体抜き経路と前記遊技媒体払出経路の一面を形成し、
前記第２壁部は、前記遊技媒体抜き経路と前記遊技媒体払出経路の一面に対向する他面を形成する
ことを特徴とする遊技用装置。
【発明の詳細な説明】
【技術分野】
【０００１】
本発明は、遊技が可能な遊技機及び遊技機に対応して設けられる遊技用装置に関する。
【背景技術】
【０００２】
従来、遊技球やメダル等の遊技媒体を誘導する経路を、複数の経路部材を組合せて構成するものがある。例えば、パチンコ遊技機において、遊技盤を流下する遊技球を一時的に受け入れるとともに遊技球の流下方向を振り分けるステージに向けて遊技球を誘導する経路を、複数の通路部材を組合せて構成するものがある。具体的には、複数の通路部材のうち１の通路部材に形成された突起部を他の通路部材に形成された位置決め孔内に挿通させることで、１の通路部材に対する他の通路部材の位置決めを行い、これら複数の通路部材内に形成される経路に段差等が形成されて球詰まり等が発生しないようにしているものがある（例えば、特許文献１参照）。
【先行技術文献】
【特許文献】
【０００３】
【特許文献１】特開２０１０−６９１４５号公報
【発明の概要】
【発明が解決しようとする課題】
【０００４】
上記のように複数の部材を組合せて経路を形成する場合において、経路の少なくとも一面を形成する第１経路部材と、経路の少なくとも該一面に対向する他面を形成する第２経路部材とを組合せて経路を構成する場合は、第１経路部材と第２経路部材とは、成形誤差や変形等により経路幅が狭くなる等、経路の形状が遊技球を誘導することが困難な状態となってしまう虞があるという問題がある。
【０００５】
本発明は、このような問題点に着目してなされたもので、第１経路部材と第２経路部材とを組合せることにより、遊技媒体を誘導可能な経路が構成される遊技機及び遊技機に対応して設けられる遊技用装置を提供することを目的とする。
【課題を解決するための手段】
【０００６】
前記課題を解決するために、本発明の請求項１に記載の遊技機は、
遊技が可能な遊技機（例えば、パチンコ遊技機１やスロットマシン）であって、
遊技媒体（例えば、遊技球Ｐやメダル）を誘導する経路（例えば、払出通路２００、球抜き通路２０１）を備え、
前記経路は、
前記経路の少なくとも一面（例えば、払出通路２００の左側面、球抜き通路２０１の左側面）を形成する第１経路部材（例えば、ベース体２０４）と、
前記経路の少なくとも前記一面に対向する他面（例えば、払出通路２００の右側面、球抜き通路２０１の右側面）を形成する第２経路部材（例えば、カバー体２２０）と、
を組合せることにより構成され、
前記第１経路部材は、
前記一面を形成する第１壁部（例えば払出通路２００及び球抜き通路２０１の左側面を形成する左壁２０４ａ）に立設された立壁部（例えば、左側上壁２０３ａ、左側下仕切壁２０３ｃ、下壁２０３ｂ及び後壁２０４ｃ）と、
前記立壁部の先端部に形成された係合部（例えば、係止爪２０８、突条２１０、突条２１２）と、
を有し、
前記第２経路部材は、前記他面を形成する第２壁部（例えば、球抜き通路２０１の右側面を形成する右壁２２０ａ）に形成された被係合部（例えば、被係止部２２４、溝部２２７、溝部２２８）を有し、
前記被係合部は、前記第１経路部材と前記第２経路部材とを組合せることにより前記係合部が係合することで、前記立壁部の先端部を保持し（例えば、右側上壁２２１ａに形成された被係止部２２４は、ベース体２０４とカバー体２２０とを組合せることにより左側上壁２０３ａの先端部に形成された係止爪２０８が係合することで、左側上壁２０３ａの先端部を保持する（図１２（Ａ）参照）。また、右壁２２０ａに形成された溝部２２７は、ベース体２０４とカバー体２２０とを組合せることにより左側下仕切壁２０３ｃの先端部に形成された突条２１０が係合することで、左側下仕切壁２０３ｃの先端部を保持する（図１２（Ａ）参照）。また、右壁２２０ａに形成された溝部２２８は、ベース体２０４とカバー体２２０とを組合せることにより後壁２０４ｃ及び下壁２０３ｂの先端部に形成された突条２１２が係合することで、後壁２０４ｃ及び下壁２０３ｂの先端部を保持する（図１２（Ａ）（Ｂ）、図１５参照）。）、
前記立壁部は、前記経路の前記一面と前記他面との間の面を形成し、
前記経路は、
遊技媒体を流下させ遊技用装置外へ排出する遊技媒体抜き経路と、
遊技媒体を払い出すための遊技媒体払出経路と、
を含み、
前記遊技媒体抜き経路は、前記遊技媒体払出経路に隣接して設けられ、
前記第１壁部は、前記遊技媒体抜き経路と前記遊技媒体払出経路の一面を形成し、
前記第２壁部は、前記遊技媒体抜き経路と前記遊技媒体払出経路の一面に対向する他面を形成する
ことを特徴としている。
この特徴によれば、第１経路部材と第２経路部材とを組合せることにより、第１経路部材の立壁部の先端部が第２経路部材の他面に保持されるため、成形誤差や立壁部の変形などによる立壁部の先端部の経路の内側への傾倒により、経路の内寸法を確保できなくなること等を抑制できる。
【０００８】
本発明の請求項２に記載の遊技用装置は、
遊技機（例えば、パチンコ遊技機１やスロットマシン）に対応して設けられる遊技用装置（例えば、パチンコ遊技機１が設置される遊技島や、パチンコ遊技機１に対応して設置される各台計数装置等の遊技用装置）であって、
遊技媒体（例えば、遊技球Ｐやメダル）を誘導する経路（例えば、遊技島や各台計数装置に設けられる遊技球通路など）を備え、
前記経路は、
前記経路の少なくとも一面を形成する第１経路部材と、
前記経路の少なくとも前記一面に対向する他面と、
を組合せることにより構成され、
前記第１経路部材は、
前記一面を形成する第１壁部に立設された立壁部と、
前記立壁部の先端部に形成された係合部と、
を有し、
前記第２経路部材は、前記他面を形成する第２壁部に形成された被係合部を有し、
前記被係合部は、前記第１経路部材と前記第２経路部材とを組合せることにより前記係合部が係合することで、前記立壁部の先端部を保持し、
前記立壁部は、前記経路の前記一面と前記他面との間の面を形成し、
前記経路は、
遊技媒体を流下させ遊技用装置外へ排出する遊技媒体抜き経路と、
遊技媒体を払い出すための遊技媒体払出経路と、
を含み、
前記遊技媒体抜き経路は、前記遊技媒体払出経路に隣接して設けられ、
前記第１壁部は、前記遊技媒体抜き経路と前記遊技媒体払出経路の一面を形成し、
前記第２壁部は、前記遊技媒体抜き経路と前記遊技媒体払出経路の一面に対向する他面を形成する
ことを特徴としている。
この特徴によれば、第１経路部材と第２経路部材とを組合せることにより、第１経路部材の立壁部の先端部が第２経路部材の他面に保持されるため、成形誤差や立壁部の変形などにより立壁部の先端部側が経路の内側に傾倒していることにより、経路の内寸法を確保できなくなること等を抑制できる。
【０００９】
本発明の手段１の遊技機は、請求項１に記載の遊技機であって、
前記係合部と前記被係合部とのうち一方（例えば、被係止部２２４、溝部２２７、溝部２２８）は、前記第１経路部材（例えば、ベース体２０４）と前記第２経路部材（例えば、カバー体２２０）とを組合せる際に前記立壁部（例えば、左側上壁２０３ａ、左側下仕切壁２０３ｃ、下壁２０３ｂ及び後壁２０４ｃ）の先端部を前記経路の外側へ誘導して、前記係合部を前記被係合部に係合させる傾斜誘導部（例えば、傾斜面２２４ｈや傾斜面２２７ａ、傾斜面２２８ａ）を有する（図１４（Ｃ）参照）
ことを特徴としている。
この特徴によれば、第１経路部材と第２経路部材とを組合せる際に、成形誤差や立壁部の変形などにより立壁部の先端部側が経路の内側に傾倒していても、傾斜誘導部により立壁部の先端部を経路の外側へ誘導してスムーズに係合部を被係合部に係合させることができる。
【００１０】
本発明の手段２の遊技機は、請求項１または手段１に記載の遊技機であって、
前記係合部は、前記立壁部（例えば、左側上壁２０３ａ、左側下仕切壁２０３ｃ、下壁２０３ｂ及び後壁２０４ｃ）に沿って延設された突条（例えば、突条２１０、突条２１２）である
ことを特徴としている。
この特徴によれば、被係合部は、立壁部の先端部を長手方向に沿って保持することができる。
【００１１】
本発明の手段３の遊技機は、請求項１、手段１、手段２のいずれかに記載の遊技機であって、
前記係合部は、前記立壁部（例えば、左側上壁２０３ａ）の外側から該立壁部の立設方向へ延設され前記先端部より突出する突出片（例えば、係止爪２０８）であり、
前記被係合部は、前記第２壁部の端部（例えば、右壁２２０ａの上端部）であり、
前記突出片は、前記第１経路部材と前記第２経路部材とを組合せる際に前記第２壁部の端部に係合する（図１２（Ａ）、図１３（Ｅ）参照）
ことを特徴としている。
この特徴によれば、第１経路部材と第２経路部材とを組合せることにより、突出片が第２壁部の端部に係合するため、立壁部の先端部側が経路の内側に傾倒することを規制できる。
【００１２】
本発明の手段４の遊技機は、請求項１、手段１〜手段３のいずれかに記載の遊技機であって、
前記経路の端部（例えば、変形例１に示すように、球抜き通路２０１を構成する遊技球通路ユニット６６の垂直部２０２の上端部）は、前記係合部と前記被係合部とのうち少なくとも一方がない欠落部（例えば、変形例１に示すように、右壁２２０ａの上端部で溝部２２８が形成されてない部分や、変形例２に示すように、後壁２０４ｃの上端部において、突条２１２が形成されていない部分）を有する
ことを特徴としている。
この特徴によれば、経路の端部、つまり、経路の継ぎ目において立壁部の端部に遊技媒体が接触したときに立壁部が振動しやすくなるので、衝撃による立壁部の破損を抑制できる。
【００１３】
本発明の手段５の遊技機は、請求項１、手段１〜手段４のいずれかに記載の遊技機であって、
前記被係合部は、前記第２壁部（例えば、球抜き通路２０１の右側面を形成する右壁２２０ａ）に形成された凹溝（例えば、溝部２２７、溝部２２８）であり、
前記第２壁部における前記凹溝の外側には第２立壁部（例えば、右側下仕切壁２２１ｃ、後外壁２２０ｃや下外壁２２１ｂ、曲壁２２１ｄ）が立設されており、
前記第２立壁部は、前記第１経路部材と前記第２経路部材とを組合せることにより前記立壁部に沿って当接または近接する（例えば、ベース体２０４に対してカバー体２２０を組合せることで、後外壁２２０ｃが後壁２０４ｃに沿って該後壁２０４ｃの外側に近接する（図１５参照）。また、下外壁２２１ｂ及び曲壁２２１ｄが下壁２０３ｂに沿って該下壁２０３ｂの外側に近接する（図１１、図１２（Ａ）参照））
ことを特徴としている。
この特徴によれば、第２立壁部が立壁部に沿って当接または近接することで立壁部が補強されるため、破損しにくくなる。
【００１４】
本発明の手段６の遊技機は、請求項１、手段１〜手段５のいずれかに記載の遊技機であって、
前記経路は曲部（例えば、湾曲傾斜面を有する下壁２０３ｂの後端部）を有し、
前記曲部は、前記係合部と前記被係合部とのうち少なくとも一方がない欠落部を有する（例えば、変形例２に示すように、下壁２０３ｂの後端部の右端部には、突条２１２を所定間隔毎に形成されており、これら突条２１２間は、該突条２１２が形成されていない欠落部２３０を構成している。図１９参照）
ことを特徴としている。
この特徴によれば、経路の曲部において遊技媒体が立壁部に衝突したときに立壁部が振動しやすくなるので、衝撃による立壁部の破損を抑制できる。
【００１５】
本発明の手段７の遊技機は、請求項１、手段１〜手段６のいずれかに記載の遊技機であって、
前記第１経路部材と前記第２経路部材とのうち一方（例えば、ベース体２０４）に形成された凸部（例えば、嵌合突起２１１）と、
前記第１経路部材と前記第２経路部材とのうち他方（例えば、カバー体２２０）に形成された凹部（例えば、嵌合凹部２２６ａ）と、
を備え、
前記第１経路部材と前記第２経路部材とを組合せることによって少なくとも２つの経路が形成され（例えば、ベース体２０４に対してカバー体２２０を組合せることで、これらベース体２０４とカバー体２２０とで構成される遊技球通路ユニット６６内に払出通路２００と球抜き通路２０１とが形成される）、
前記凸部と前記凹部とは、前記２つの経路の間で嵌合する（図１１、図１２（Ａ）参照）
ことを特徴としている。
この特徴によれば、一の凸部と凹部との嵌合により２つの経路付近で第１経路部材に対する第２経路部材の位置ずれの発生を防止できるため、遊技媒体を円滑に誘導することができる。
【００１６】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１７】
【図１】パチンコ遊技機を正面から見た状態を示す正面図である。
【図２】遊技制御基板（主基板）の回路構成例を示すブロック図である。
【図３】パチンコ遊技機を示す背面図である。
【図４】パチンコ遊技機を示す左側面図である。
【図５】遊技球通路ユニットを示す斜視図である。
【図６】遊技球通路ユニットを右斜め前から見た状態を示す分解斜視図である。
【図７】遊技球通路ユニットを左斜め前から見た状態を示す分解斜視図である。
【図８】ベース体を示す左側面図である。
【図９】カバー体を示す左側面図である。
【図１０】（Ａ）は遊技球通路ユニットを示す正面図、（Ｂ）は遊技球通路ユニットを示す右側面図である。
【図１１】図１０（Ａ）のＡ−Ａ断面図である。
【図１２】（Ａ）は図１０（Ｂ）のＢ−Ｂ断面図、（Ｂ）は図１０（Ｂ）のＣ−Ｃ断面図である。
【図１３】（Ａ）は延設部を示す平面図、（Ｂ）は図１３（Ａ）におけるＦ−Ｆ断面図、（Ｃ）〜（Ｅ）は係止爪が被係止部に係止される過程を示すＦ−Ｆ断面図である。
【図１４】（Ａ）はベース体に対してカバー体の取付けられていない状態を示すＦ−Ｆ断面図、（Ｂ）は突条が溝部に係合される状態を示す拡大図、（Ｃ）は後壁及び下壁が下外壁及び後外壁に向けて傾斜する状態を示す拡大図である。
【図１５】図１０（Ｂ）におけるＤ−Ｄ断面図である。
【図１６】（Ａ）は図１０（Ｂ）におけるＥ−Ｅ断面図、（Ｂ）は図１６（Ａ）の部分拡大図である。
【図１７】球抜き通路内を流下する遊技球が膨出部に衝突する状態を示す説明図である。
【図１８】（Ａ）は変形例１において遊技球通路ユニットに払出装置が接続されている状態を示す説明図、（Ｂ）は変形例１の遊技球通路ユニットにおける溝部及び突条の形成状態を示す斜視図である。
【図１９】変形例２における下壁の後端部を示す側面図である。
【発明を実施するための形態】
【００１８】
本発明に係る遊技機、遊技媒体経路ユニット及び遊技用装置を実施するための形態を実施例に基づいて以下に説明する。
【実施例】
【００１９】
まず、遊技機の一例であるパチンコ遊技機１の全体の構成について説明する。尚、以下の説明において、図１の手前側をパチンコ遊技機１の前方（前面、正面）側、奥側を背面（後方）側として説明する。尚、本実施例におけるパチンコ遊技機１の前面とは、遊技者側からパチンコ遊技機１を見たときに該遊技者と対向する対向面である。
【００２０】
図１は、本実施例におけるパチンコ遊技機の正面図であり、主要部材の配置レイアウトを示す。パチンコ遊技機１（以下、遊技機と略記する場合がある）は、大別して、遊技盤面を構成する遊技盤２（ゲージ盤）と、遊技盤２を支持固定する遊技機用枠３（台枠）とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００２１】
遊技盤２の所定位置（図１に示す例では、遊技領域の右側方）には、第１特別図柄表示器４Ａと、第２特別図柄表示器４Ｂとが設けられている。第１特別図柄表示器４Ａと第２特別図柄表示器４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。例えば、第１特別図柄表示器４Ａと第２特別図柄表示器４Ｂはそれぞれ、「０」〜「９」を示す数字や「−」を示す記号等から構成される複数種類の特別図柄を変動表示する。
【００２２】
以下では、第１特別図柄表示器４Ａにおいて変動表示される特別図柄を「第１特図」ともいい、第２特別図柄表示器４Ｂにおいて変動表示される特別図柄を「第２特図」ともいう。
【００２３】
遊技盤２における遊技領域の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリアにて、各々を識別可能な複数種類の識別情報（装飾識別情報）である演出図柄が変動表示される。この演出図柄の変動表示も、変動表示ゲームに含まれる。
【００２４】
一例として、演出表示装置５の表示領域には、「左」、「中」、「右」の演出図柄表示エリア５Ｌ，５Ｃ，５Ｒが配置されている。そして、特図ゲームにおいて第１特別図柄表示器４Ａにおける第１特図の変動と第２特別図柄表示器４Ｂにおける第２特図の変動のうち、いずれかが開始されることに対応して、「左」、「中」、「右」の各演出図柄表示エリア５Ｌ，５Ｃ，５Ｒにおいて演出図柄（飾り図柄ともいう）の変動（例えば上下方向のスクロール表示）が開始される。その後、特図ゲームにおける変動表示結果として確定特別図柄が停止表示されるときに、演出表示装置５における「左」、「中」、「右」の各演出図柄表示エリア５Ｌ，５Ｃ，５Ｒにて、演出図柄の変動表示結果となる確定演出図柄（最終停止図柄）が停止表示される。
【００２５】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄を導出表示（あるいは単に「導出」ともいう）する。尚、例えば特別図柄や演出図柄といった、各種の表示図柄を導出表示するとは、演出図柄等の識別情報を停止表示（完全停止表示や最終停止表示ともいう）して変動表示を終了させることである。
【００２６】
「左」、「中」、「右」の各演出図柄表示エリア５Ｌ，５Ｃ，５Ｒにて変動表示される演出図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。演出図柄のそれぞれには、対応する図柄番号が付されている。例えば、「１」〜「８」を示す英数字それぞれに対して、「１」〜「８」の図柄番号が付されている。尚、演出図柄は８種類に限定されず、「大当り」となる組合せや「はずれ」となる組合せなど適当な数の組合せを構成可能であれば、何種類であってもよい（例えば７種類や９種類など）。
【００２７】
演出表示装置５の表示領域の下部の左右２箇所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２８】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。本実施例では、第１始動入賞口を遊技球が通過（進入）することによる始動入賞に基づいて発生した保留記憶表示を丸型の白色表示とし、第２始動入賞口を遊技球が通過（進入）することによる始動入賞に基づいて発生した保留記憶表示を同様に丸型の白色表示とする。
【００２９】
図１に示す例では、保留記憶表示エリアとともに、第１特別図柄表示器４Ａ及び第２特別図柄表示器４Ｂの上部と下部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。
【００３０】
演出表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動領域（第２始動領域）としての第２始動入賞口を形成する。
【００３１】
一例として、普通可変入賞球装置６Ｂでは、普通電動役物用のソレノイド８１がオフ状態であるときに可動翼片が垂直位置となることにより、遊技球が第２始動入賞口を通過（進入）しがたい通常開放状態となる。その一方で、普通可変入賞球装置６Ｂでは、普通電動役物用のソレノイド８１がオン状態であるときに可動翼片が傾動位置となる傾動制御により、遊技球が第２始動入賞口を通過（進入）しやすい拡大開放状態となる。
【００３２】
普通入賞球装置６Ａに形成された第１始動入賞口を通過（進入）した遊技球は、例えば図２に示す第１始動口スイッチ２２Ａによって検出される。普通可変入賞球装置６Ｂに形成された第２始動入賞口を通過（進入）した遊技球は、例えば図２に示す第２始動口スイッチ２２Ｂによって検出される。第１始動口スイッチ２２Ａによって遊技球が検出されたことに基づき、所定個数（例えば３個）の遊技球が賞球として払い出され、第１特図保留記憶数が所定の上限値（例えば「４」）未満であれば、第１始動条件が成立する。第２始動口スイッチ２２Ｂによって遊技球が検出されたことに基づき、所定個数（例えば３個）の遊技球が賞球として払い出され、第２特図保留記憶数が所定の上限値（例えば「４」）未満であれば、第２始動条件が成立する。尚、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００３３】
普通入賞球装置６Ａと普通可変入賞球装置６Ｂの下方位置には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００３４】
一例として、特別可変入賞球装置７では、大入賞口扉用のソレノイド８２がオフ状態であるときに大入賞口扉が大入賞口を閉鎖状態として、遊技球が大入賞口を通過（進入）できなくする。その一方で、特別可変入賞球装置７では、大入賞口扉用のソレノイド８２がオン状態であるときに大入賞口扉が大入賞口を開放状態として、遊技球が大入賞口を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。尚、遊技球が大入賞口を通過（進入）できない閉鎖状態に代えて、あるいは閉鎖状態の他に、遊技球が大入賞口を通過（進入）しにくい一部開放状態を設けてもよい。
【００３５】
大入賞口を通過（進入）した遊技球は、例えば図２に示すカウントスイッチ２３によって検出される。カウントスイッチ２３によって遊技球が検出されたことに基づき、所定個数（例えば１５個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３６】
遊技盤２の所定位置（図１に示す例では、遊技領域の左側方）には、普通図柄表示器２０が設けられている。一例として、普通図柄表示器２０は、第１特別図柄表示器４Ａや第２特別図柄表示器４Ｂと同様に７セグメントやドットマトリクスのＬＥＤ等から構成され、特別図柄とは異なる複数種類の識別情報である普通図柄（「普図」あるいは「普通図」ともいう）を変動可能に表示（変動表示）する。このような普通図柄の変動表示は、普図ゲーム（「普通図ゲーム」ともいう）と称される。
【００３７】
普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３８】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００３９】
遊技機用枠３の左右上部位置には、効果音等を再生出力するためのスピーカ８Ｌ，８Ｒが設けられており、さらに遊技領域周辺部には、遊技効果ランプ９が設けられている。尚、本実施例では、２つのスピーカ８Ｌ，８Ｒを遊技機用枠３の左右上部位置に設けた形態を例示しているが、本発明はこれに限定されるものではなく、遊技機用枠３の下方位置に更に２つのスピーカを設けたり、低音出力用のウーハーを設けるようにしても良い。また、遊技機用枠３の下方位置にスピーカ８Ｌ，８Ｒに似せた装飾物を設けるようにしても良い。
【００４０】
また、パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００４１】
遊技領域の下方における遊技機用枠３の所定位置には、賞球として払い出された遊技球や貸し出しによって払い出された遊技球を、打球発射装置に供給可能に保持（貯留）する打球供給皿９０が設けられている。
【００４２】
打球供給皿９０を形成する部材の下方には、遊技者が把持して傾倒操作が可能なスティックコントローラ３１Ａが取付けられている。スティックコントローラ３１Ａは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラ３１Ａの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検出するトリガセンサが内蔵されていればよい。尚、スティックコントローラ３１Ａにトリガボタンを設けないようにしても良い。
【００４３】
スティックコントローラ３１Ａの下部には、操作桿に対する傾倒操作を検出するコントローラセンサユニット３５Ａが設けられていればよい。例えば、コントローラセンサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組合せた４つの透過形フォトセンサを含んで構成されていればよい。
【００４４】
打球供給皿９０を形成する部材には、例えば打球供給皿９０本体の上面における手前側の所定位置（例えばスティックコントローラ３１Ａの上方）などに、遊技者が押下動作などにより所定の指示操作を可能なプッシュボタン３１Ｂが設けられている。プッシュボタン３１Ｂは、遊技者からの押下動作を、機械的、電気的、あるいは、電磁的に、検出できるように構成されていればよい。プッシュボタン３１Ｂの設置位置における打球供給皿９０の本体内部などには、プッシュボタン３１Ｂに対してなされた遊技者による押下動作を検出するプッシュセンサ３５Ｂが設けられていればよい。
【００４５】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、払出装置６３による遊技球の払出を制御するための払出制御基板９１や、情報端子基板、発射制御基板、インタフェース基板などといった、各種の基板が配置されている。
【００４６】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。
【００４７】
主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１，８２に伝送する出力回路１１１などが搭載されている。
【００４８】
演出制御基板１２は、主基板１１とは独立したサブ側の制御基板であり、中継基板１５を介して主基板１１から伝送された制御信号を受信して、演出表示装置５、スピーカ８Ｌ，８Ｒ及び遊技効果ランプ９といった演出用の電気部品による演出動作を制御するための各種回路が搭載されている。すなわち、演出制御基板１２は、演出表示装置５における表示動作や、スピーカ８Ｌ，８Ｒからの音声出力動作の全部または一部、遊技効果ランプ９などにおける点灯／消灯動作の全部または一部といった、演出用の電気部品に所定の演出動作を実行させるための制御内容を決定する機能を備えている。
【００４９】
音声制御基板１３は、演出制御基板１２とは別個に設けられた音声出力制御用の制御基板であり、演出制御基板１２からの指令や制御データなどに基づき、スピーカ８Ｌ，８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９などにおける点灯／消灯駆動を行うランプドライバ回路などが搭載されている。
【００５０】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。尚、ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。また、主基板１１には、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００５１】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば演出表示装置５における画像表示動作を制御するために用いられる表示制御コマンドや、スピーカ８Ｌ，８Ｒからの音声出力を制御するために用いられる音声制御コマンド、遊技効果ランプ９や装飾用ＬＥＤの点灯動作などを制御するために用いられるランプ制御コマンドが含まれている。
【００５２】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Outputport）１０５とを備えて構成される。
【００５３】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【００５４】
これら遊技の進行の制御として遊技制御用マイクロコンピュータ１００（ＣＰＵ１０３）は、遊技球が第１始動入賞口や第２始動入賞口に入賞したことにもとづいて、乱数回路１０４から抽出した乱数（大当り判定用乱数）を用いて該始動入賞にもとづく変動表示において大当りとするか否かを決定する抽選を行う処理や、乱数回路１０４から抽出した乱数（変動パターン判定用乱数）を用いて変動パターン（変動表示時間）を複数の変動パターンのうちから決定して該決定した変動パターンを設定する処理を行う。また、大当り遊技状態における特別可変入賞球装置７の大入賞口扉を開閉する処理や、大当り遊技終了後の遊技状態を、遊技状態フラグ等を更新する等によって変動表示時間の短い変動パターンが決定されやすい時短状態や大当りの抽選確率が通常状態よりも高確率（例えば、通常状態（低確率状態）の１０倍）となる確変状態とする処理や、時短状態や確変状態とする変動回数を設定（セット）するともに、該セットされた変動回数が実行されたときに時短状態や確変状態を終了する処理等を行う。
【００５５】
また、遊技制御用マイクロコンピュータ１００（より具体的にはＣＰＵ１０３）は、ＲＯＭ１０１から読み出したプログラムを実行することにより、払出装置６３を駆動することで遊技球を打球供給皿９０に払い出させるための払出信号を、払出制御基板９１に対して出力可能となっている。
【００５６】
払出制御基板９１は、払出信号を受信したことにもとづいて所定球数（例えば、３球、１０球、１５球）の遊技球を打球供給皿９０に払い出すために駆動する。尚、払出制御基板９１には、後述する遊技球通路ユニット６６内に設けられた遊技球検出モジュール３００（より具体的には遊技球検出モジュール３００を構成する遊技球検出センサ３０１）が接続されており、該遊技球検出モジュール３００から受信する遊技球検出信号の態様に応じて払出装置６３の駆動を停止することが可能となっている。
【００５７】
図２に示すように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００５８】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【００５９】
尚、演出制御基板１２の側においても、主基板１１と同様に、例えば、予告演出等の各種の演出の種別を決定するための乱数値（演出用乱数ともいう）が設定されている。
【００６０】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルを構成するテーブルデータ、各種の演出制御パターンを構成するパターンデータなどが記憶されている。
【００６１】
一例として、ＲＯＭ１２１には、演出制御用ＣＰＵ１２０が各種の演出装置（例えば演出表示装置５やスピーカ８Ｌ，８Ｒ、遊技効果ランプ９及び装飾用ＬＥＤ、演出用模型など）による演出動作を制御するために使用する演出制御パターンを複数種類格納した演出制御パターンテーブルが記憶されている。演出制御パターンは、パチンコ遊技機１における遊技の進行状況に応じて実行される各種の演出動作に対応して、その制御内容を示すデータなどから構成されている。演出制御パターンテーブルには、例えば特図変動時演出制御パターンと、予告演出制御パターンと、各種演出制御パターン等が、格納されていればよい。
【００６２】
特図変動時演出制御パターンは、複数種類の変動パターンに対応して、特図ゲームにおいて特別図柄の変動が開始されてから特図表示結果となる確定特別図柄が導出表示されるまでの期間における、演出図柄の変動表示動作やリーチ演出、再抽選演出などにおける演出表示動作、あるいは、演出図柄の変動表示を伴わない各種の演出表示動作といった、様々な演出動作の制御内容を示すデータなどから構成されている。予告演出制御パターンは、例えば、予め複数パターンが用意された予告パターンに対応して実行される予告演出となる演出動作の制御内容を示すデータなどから構成されている。各種演出制御パターンは、パチンコ遊技機１における遊技の進行状況に応じて実行される各種の演出動作に対応して、その制御内容を示すデータなどから構成されている。
【００６３】
特図変動時演出制御パターンのうちには、例えばリーチ演出を実行する変動パターンごとに、それぞれのリーチ演出における演出態様を異ならせた複数種類のリーチ演出制御パターンが含まれてもよい。
【００６４】
次に、図３及び図４に基づいて、パチンコ遊技機１の背面構造について説明する。図３は、パチンコ遊技機を示す背面図である。図４は、パチンコ遊技機を示す左側面図である。
【００６５】
図３に示すように、パチンコ遊技機１の遊技機用枠３は、パチンコ遊技機１を設置する遊技島（図示略）に固定される四角枠状の外枠６０の左側辺を中心として開閉可能に設けられている。遊技機用枠３の背面上辺部には、遊技島（図示略）から供給される遊技球を貯留可能な球タンク６１が配設されており、球タンク６１に貯留された遊技球は、球タンク６１から左側に向けて延設された後に下方に屈曲する供給通路６２を流下して払出装置６３に誘導される。
【００６６】
払出装置６３の下方には、該払出装置６３から払い出された遊技球を打球供給皿９０等に誘導するための払出通路２００と、払出装置６３によって誘導（供給）される遊技球、つまり、球タンク６１及び供給通路６２にある遊技球を、払出装置６３から払出通路２００に払い出すことなくパチンコ遊技機１の外部に排出するために、パチンコ遊技機１の背面側下部に設けられた図示しない排出部に誘導する球抜き通路２０１と、を有する遊技球通路ユニット６６が設けられている。
【００６７】
図３に示すように、払出装置６３は、略直方体状に形成されるケース体からなる。この払出装置６３の内部には、特に詳細な図示はしないが、遊技球を所定球数（例えば、１球）ずつ払い出すためのスプロケット、該スプロケットを回転させるための払出モータ、遊技球の流路を払出通路２００または球抜き通路２０１に切り替え可能な切替弁、該切替弁の切り替え操作を行うための操作レバー等が設けられている。
【００６８】
次に、遊技球通路ユニット６６の構造について、図５〜図１７に基づいて説明する。図５は、遊技球通路ユニットを示す斜視図である。図６は、遊技球通路ユニットを右斜め前から見た状態を示す分解斜視図である。図７は、遊技球通路ユニットを左斜め前から見た状態を示す分解斜視図である。図８は、ベース体を示す左側面図である。図９は、カバー体を示す左側面図である。図１０は、（Ａ）は遊技球通路ユニットを示す正面図、（Ｂ）は遊技球通路ユニットを示す右側面図である。図１１は、図１０（Ａ）のＡ−Ａ断面図である。図１２は、（Ａ）は図１０（Ｂ）のＢ−Ｂ断面図、（Ｂ）は図１０（Ｂ）のＣ−Ｃ断面図である。図１３は、（Ａ）は延設部を示す平面図、（Ｂ）は図１３（Ａ）におけるＦ−Ｆ断面図、（Ｃ）〜（Ｅ）は係止爪が被係止部に係止される過程を示すＦ−Ｆ断面図である。図１４は、（Ａ）はベース体に対してカバー体の取付けられていない状態を示すＦ−Ｆ断面図、（Ｂ）は突条が溝部に係合される状態を示す拡大図、（Ｃ）は後壁及び下壁が下外壁及び後外壁に向けて傾斜する状態を示す拡大図である。図１５は、図１０（Ｂ）におけるＤ−Ｄ断面図である。図１６は、（Ａ）は図１０（Ｂ）におけるＥ−Ｅ断面図、（Ｂ）は図１６（Ａ）の部分拡大図である。図１７は、球抜き通路内を流下する遊技球が膨出部に衝突する状態を示す説明図である。
【００６９】
図４〜図１１に示すように、遊技球通路ユニット６６は、上下方向に延びる垂直部２０２と、該垂直部２０２の下端から前斜め下方に向けて延設される延設部２０３と、を有する側面視略Ｌ字形状をなす四角筒体にて構成されており、垂直部２０２の上端部には払出装置６３が設けられる。遊技球通路ユニット６６は、払出通路２００や球抜き通路２０１の左壁部を構成するベース体２０４と、払出通路２００や球抜き通路２０１の右壁部を構成するカバー体２２０とで構成されている。
【００７０】
尚、本実施例におけるベース体２０４とカバー体２２０とは、ポリアセチレン、ポリピロール、ポリチオフェン等の導電性を有する樹脂材により形成されているが、本発明はこれに限定されるものではなく、ベース体２０４とカバー体２２０とのいずれか一方のみが導電性を有する樹脂材により形成されていてもよく、また、ベース体２０４とカバー体２２０とは導電性を有する樹脂材により形成されていなくとも良い。
【００７１】
ベース体２０４は、左壁２０４ａと、該左壁２０４ａの前辺から右方に向けて立設される左側前壁２０４ｂと、該左壁２０４ａの後辺から右方に向けて立設される後壁２０４ｃと、延設部２０３の上辺から右方に向けて立設される左側上壁２０３ａと、延設部２０３の下辺から右方に向けて立設される下壁２０３ｂと、左側前壁２０４ｂと後壁２０４ｃとの間を垂直部２０２の略全長に亘って仕切る左側上仕切壁２０４ｄと、左側上壁２０３ａと下壁２０３ｂとの間を延設部２０３の略全長に亘って仕切る左側下仕切壁２０３ｃと、を有している。尚、左側下仕切壁２０３ｃの後端部は、上部から下部にかけて、前方に向けて下方に傾斜する湾曲傾斜面を有しており、左側上仕切壁２０４ｄの下端部と連続して形成されている。
【００７２】
同様に、下壁２０３ｂの後端部は、上部から下部にかけて、前方に向けて下方に傾斜する湾曲傾斜面を有しており、後壁２０４ｃの下端部と連続して形成されている。尚、図６に示すように、左壁２０４ａから左側下仕切壁２０３ｃの右端部までの左右幅寸法は、左壁２０４ａから左側前壁２０４ｂ、後壁２０４ｃ及び左側上仕切壁２０４ｄの右端部までの左右幅寸法よりも長寸に形成されている。つまり、左側下仕切壁２０３ｃは、左側前壁２０４ｂ、後壁２０４ｃ及び左側上仕切壁２０４ｄの先端より右方に突出している。
【００７３】
このように、ベース体２０４における左側前壁２０４ｂと後壁２０４ｃとの間、左側上壁２０３ａと下壁２０３ｂとの間を左側上仕切壁２０４ｄ、左側下仕切壁２０３ｃが仕切ることで、左側前壁２０４ｂ及び左側上壁２０３ａと左側上仕切壁２０４ｄ及び左側下仕切壁２０３ｃとの間に払出通路２００の左側部が形成され、後壁２０４ｃ及び下壁２０３ｂと左側上仕切壁２０４ｄ及び左側下仕切壁２０３ｃとの間に球抜き通路２０１の左側部が形成される。
【００７４】
左側上仕切壁２０４ｄの前面側には、該左側上仕切壁２０４ｄの上部から下部にかけて、前方に向けて下方に傾斜する湾曲傾斜面を有する左側第１傾斜壁２０５ａ，２０５ｂ，２０５ｃ，２０５ｄが突設されている。また、左側前壁２０４ｂの後面側には、該左側前壁２０４ｂの上部から下部にかけて、後方に向けて下方に傾斜する湾曲傾斜面を有する左側第２傾斜壁２０６ａ，２０６ｂ，２０６ｃ，２０６ｄが突設されている。これら左側第１傾斜壁２０５ａ，２０５ｂ，２０５ｃ，２０５ｄと左側第２傾斜壁２０６ａ，２０６ｂ，２０６ｃ，２０６ｄとは、上方から下方に向けて左側第１傾斜壁２０５ａ、左側第２傾斜壁２０６ａ、左側第１傾斜壁２０５ｂ、左側第２傾斜壁２０６ｂ、左側第１傾斜壁２０５ｃ、左側第２傾斜壁２０６ｃ、左側第１傾斜壁２０５ｄ、左側第２傾斜壁２０６ｄの順で交互に設けられている。
【００７５】
また、左側第１傾斜壁２０５ａ，２０５ｃ，２０５ｄの前端部は、左側第２傾斜壁２０６ａ，２０６ｂ，２０６ｃ，２０６ｄの後端部よりも前方に配置されている。このため、払出通路２００は、後述するようにベース体２０４とカバー体２２０とが一体となることで、垂直部２０２において前後方向に蛇行するように形成される。
【００７６】
尚、図１１に示すように、左側第１傾斜壁２０５ａ、左側第１傾斜壁２０５ｂ、左側第１傾斜壁２０５ｄの左側上仕切壁２０４ｄ側の基端部には、下方を向く開口部２０７ａが形成されている。同様に、左側第２傾斜壁２０６ｂ、２０６ｃ、２０６ｄの左側前壁２０４ｂ側の基端部には、下方を向く開口部２０７ｂが形成されている。これら開口部２０７ａ，２０７ｂは、遊技球通路ユニット６６がパチンコ遊技機１に取付けられた状態において、例えば、打球供給皿９０に設けられた払出口（図示略）から払出通路２００内の通路壁に沿って針金Ｈ等の異物が挿入され場合、針金Ｈの先端部が払出通路２００の曲部において開口部２０７ａ，２０７ｂ内に挿入されることによって、該針金Ｈの上流側への進入を阻止できるため、遊技球通路ユニット６６の上方に配置されている球タンク６１や払出装置６３に対して不正が行われることが防止される。
【００７７】
尚、本実施例では、払出通路２００内に計５つの開口部２０７ａ，２０７ｂが形成されているが、本発明はこれに限定されるものではなく、払出通路２００内に形成される開口部は６以上や４以下であっても良い。尚、払出通路２００内に開口部２０７ａ，２０７ｂが形成されていなくとも良いが、前述したように針金Ｈ等の異物の払出通路２００内の遡上を阻止するためには、本実施例のように払出通路２００内に複数の開口部２０７ａ，２０７ｂが形成されていることが望ましい。
【００７８】
図８に示すように、左側第２傾斜壁２０６ｂと左側第１傾斜壁２０５ｃとの間には、払出通路２００内を流下する遊技球を検出するための遊技球検出モジュール３００が設けられている。この遊技球検出モジュール３００は、検出子３０２と、該検出子３０２を検出する遊技球検出センサ３０１と、から構成されている。
【００７９】
遊技球検出センサ３０１は、例えば、赤外線を発信可能な発光部と該発光部から発生された赤外線を受信可能な受光部とを有するフォトセンサである。この遊技球検出センサ３０１は、発光部から発せられた赤外線が受光部にて受光されている場合は０Ｖの電圧を払出制御基板９１に対して出力するようになっており、発光部から発せられた赤外線が受光部にて受光されていない場合には５Ｖの電圧を払出制御基板９１に対して出力するようになっている。
【００８０】
検出子３０２は、側面視で下面が円弧状に形成された扇状の部材であって、上端部が左右方向を向く枢軸によって揺動可能に枢支されている。左側面視における検出子３０２の揺動方向時計回り方向側端部には、遊技球検出センサ３０１にて検出可能な検出片３０２ａが形成されており、左側面視における検出子３０２の揺動方向反時計回り方向側端部には、検出子３０２が揺動することにより払出通路２００内に露出（進出）する露出部３０２ｂが形成されている。検出子３０２は、露出部３０２ｂが払出通路２００内に露出している状態では、払出通路２００内を流下する遊技球が該露出部３０２ｂに衝突することにより露出部３０２ｂが払出通路２００内から退避するように揺動する。
【００８１】
尚、左側面視における検出子３０２の揺動方向反時計回り方向側端部には検出片３０２ａが形成されている。該検出片３０２ａは、露出部３０２ｂが払出通路２００内から退避するように検出子３０２が揺動することによって遊技球検出センサ３０１の発光部と受光部との間で配置され、受光部による赤外線の受光を遮断する。
【００８２】
つまり、本実施例の遊技球検出センサ３０１は、払出通路２００内を遊技球が流下することで５Ｖの電圧を払出制御基板９１に対して出力するので、払出制御基板９１は、該遊技球検出センサ３０１からの５Ｖの電圧が出力されたことにもとづいて払出通路２００内を流下する遊技球を検出することが可能となっている。
【００８３】
図６及び図１３（Ａ）及び図１３（Ｂ）に示すように、左側上壁２０３ａの上面右端部には、カバー体２２０に設けられた後述する被係止部２２４に係止可能なように、左側上壁２０３ａの立設方向である右方に向けて延設され、先端が左側上壁２０３ａの右端部から右方へ突出する係止爪２０８が突設されている。また、係止爪２０８の右上端部には、上方から下方にかけて左方に向けて傾斜する傾斜面２０８ａが形成されている。
【００８４】
また、本実施例における左側上壁２０３ａは、水平方向に対して上方に向けて傾斜している。このため、係止爪２０８も左側上壁２０３ａと同様に水平方向に対して上方に向けて傾斜している。
【００８５】
次いで、図８に示すように、垂直部２０２における後壁２０４ｃと左側上仕切壁２０４ｄとの間には、左壁２０４ａから右方に向けて複数の突出部２０９が突出形成されている。これら複数の突出部２０９は、断面略半円状をなし、後壁２０４ｃと左側上仕切壁２０４ｄとの間において垂直部２０２における球抜き通路２０１の前後幅方向に長寸に形成され、上下方向に一定の間隔毎に配列されている。これら複数の突出部２０９のうち、下端部に形成されている突出部２０９以外の突出部２０９ａは、後壁２０４ｃと左側上仕切壁２０４ｄとの間の前後幅寸法Ｄ１と同一の前後幅寸法に形成されている。一方で、下端部に形成されている突出部２０９ａの前後幅寸法Ｄ２は、前後幅寸法Ｄ１よりも短寸である（Ｄ１＞Ｄ２）、突出部２０９ａの前端部と左側上仕切壁２０４ｄとの間は、後述する右側下仕切壁２２１ｃを配置可能な前後幅寸法に形成されている。尚、後壁２０４ｃと左側上仕切壁２０４ｄとの間の前後幅寸法Ｄ１は、遊技球の直径Ｒよりも長寸である（Ｄ１＞Ｒ）。
【００８６】
前述したように、左側下仕切壁２０３ｃの後端部は、上部から下部にかけて、前方に向けて下方に傾斜する湾曲傾斜面を有している。左側下仕切壁２０３ｃの後端部の背面には、遊技球の流下方向に沿って複数のリブ２０４ｆが形成されている。これらリブ２０７ｆは、左側下仕切壁２０３ｃの左右幅方向の略全長に亘って形成されており、左側下仕切壁２０３ｃの強度を補強している。
【００８７】
図８、図１４（Ａ）及び図１５に示すように、左側下仕切壁２０３ｃの右端部には、左側下仕切壁２０３ｃの前後幅方向（遊技球の流下方向）の略全長に亘って突条２１０が形成されている。突条２１０の右上部には、突条２１０の上方から下方に向けて右方に傾斜を成す傾斜面２１０ａが形成されている。また、延設部２０３における左側下仕切壁２０３ｃの下方には、ベース体２０４とカバー体２２０とを組合せる際に後述する嵌合凹部２２６ａに嵌合する環状の嵌合突起２１１が形成されている。
【００８８】
後壁２０４ｃ及び下壁２０３ｂの右端部には、球抜き通路２０１における遊技球の流下方向の略全長に亘って突条２１２が形成されている。突条２１２には、左方から右方に向けて遊技球通路ユニット６６の外方（後壁２０４ｃに形成されている突条２１２であれば後方、下壁２０３ｂに形成されている突条であれば下方）に傾斜を成す傾斜面２１２ａが形成されている。
【００８９】
図７及び図９に示すように、カバー体２２０は、右壁２２０ａと、垂直部２０２における右壁２２０ａの前辺から左方に向けて立設される右側前壁２２０ｂと、該右壁２２０ａの後辺から左方に向けて立設されている後外壁２２０ｃと、延設部２０３における右壁２２０ａの上辺から左方に向けて立設される右側上壁２２１ａと、延設部２０３の上辺から左方に向けて立設される下外壁２２１ｂと、右側前壁２２０ｂと後外壁２２０ｃとの間を垂直部２０２の略全長に亘って仕切る右側上仕切壁２２０ｄと、右側上壁２２１ａと下外壁２２１ｂとの間を略全長に亘って仕切る右側下仕切壁２２１ｃと、を有している。また、カバー体２２０は、右壁２２０ａから左方に向けて立設される曲壁２２１ｄを有している。この曲壁２２１ｄは、後外壁２２０ｃの下部と下外壁２２１ｂの後部とに連続しており、上部から下部にかけて、前方に向けて下方に傾斜する湾曲傾斜面を有している。
【００９０】
尚、右壁２２０ａから右側下仕切壁２２１ｃ、後外壁２２０ｃ及び下外壁２２１ｂの左端部までの左右幅寸法は、右壁２２０ａから右側前壁２２０ｂ、曲壁２２１ｄ及び右側上仕切壁２２０ｄの右端部までの左右幅寸法よりも長寸に形成されている。つまり、後外壁２２０ｃ及び下外壁２２１ｂの先端は、右側前壁２２０ｂ、曲壁２２１ｄ及び右側上仕切壁２２０ｄの先端より左方に突出している。
【００９１】
このように、カバー体２２０における右側前壁２２０ｂと後外壁２２０ｃとの間、右側上壁２２１ａと下外壁２２１ｂとの間を右側上仕切壁２２０ｄ、右側下仕切壁２２１ｃが仕切ることで、右側前壁２２０ｂ及び右側上壁２２１ａと右側上仕切壁２２０ｄ及び右側下仕切壁２２１ｃとの間に払出通路２００の右側部が形成され、後外壁２２０ｃ及び下外壁２２１ｂと右側上仕切壁２２０ｄ及び右側下仕切壁２２１ｃとの間に球抜き通路２０１の右側部が形成される。
【００９２】
右側上仕切壁２２０ｄの前面側には、該右側上仕切壁２２０ｄの上部から下部にかけて、前方に向けて下方に傾斜する湾曲傾斜面を有する右側第１傾斜壁２２２ａ，２２２ｂ，２２２ｃ，２２２ｄが突設されている。また、右側前壁２２０ｂの後面側には、該右側前壁２２０ｂの上部から下部にかけて、後方に向けて下方に傾斜する湾曲傾斜面を有する右側第２傾斜壁２２３ａ，２２３ｂ，２２３ｃが突設されている。これら右側第１傾斜壁２２２ａ，２２２ｂ，２２２ｃ，２２２ｄと右側第２傾斜壁２２３ａ，２２３ｂ，２２３ｃとは、上方から下方に向けて右側第１傾斜壁２２２ａ、右側第２傾斜壁２２３ａ、右側第１傾斜壁２２２ｂ、右側第２傾斜壁２２３ｂ、右側第１傾斜壁２２２ｃ、右側第２傾斜壁２２３ｃ、右側第１傾斜壁２２２ｄの順で交互に設けられている。
【００９３】
また、右側第１傾斜壁２２２ａ，２２２ｃ，２２２ｄの前端部は、右側第２傾斜壁２２３ａ，２２３ｂ，２２３ｃの後端部よりも前方に配置されている。このため、払出通路２００は、後述するようにベース体２０４とカバー体２２０とが一体となることで、垂直部２０２において前後方向に蛇行するように形成される。
【００９４】
図７に示すように、右側上壁２２１ａの左端部におけるベース体２０４の係止爪２０８に対応する位置には、被係止部２２４が形成されている。具体的には、図１３（Ａ）及び図１３（Ｂ）に示すように、右側上壁２２１ａには、上下方向及び左方に向けて開口する２条の溝部２２４ｆ，２２４ｆが形成されており、該溝部２２４ｆ，２２４ｆ間に、前側片２２４ａと、後側片２２４ｂと、前側片２２４ａと後側片２２４ｂとの左端部を連結する左側片２２４ｃと、から平面視略コ字形に形成される被係止部２２４が、弾性変形可能に設けられている。また、被係止部２２４には挿通孔２２４ｅが形成されており、挿通孔２２４ｅの右側には、上面が水平方向を向く右側片２２４ｄが、右側上壁２２１ａの上面に対して凹設されている。
【００９５】
尚、本実施例における左側片２２４ｃの左下端部には、右方から左方にかけて上方を向く傾斜面２２４ｇが形成されており、本実施例における右側片２２４ｄの左上端部には、右方から左方にかけて下方を向く傾斜面２２４ｈが形成されている。
【００９６】
次いで、図９に示すように、右壁２２０ａの左側面における後外壁２２０ｃと右側上仕切壁２２０ｄとの間には、右壁２２０ａから左方に向けて複数の突出部２２５が突出形成されている。これら複数の突出部２２５は、断面略半円状をなし、右壁２２０ａの左側面からの突出寸法は、突出部２０９の左壁２０４ａの右側面からの突出寸法と略同一に形成されているが、本発明はこれに限定されるものではなく、これら突出部２０９の左壁２０４ａからの突出寸法と突出部２２５の右壁２２０ａからの突出寸法は異なっていても良い。
【００９７】
これら複数の突出部２２５は、前端部が右側上仕切壁２２０ｄに当接している。また、突出部２２５の前後幅寸法は、垂直部２０２における球抜き通路２０１の前後幅方向に長寸且つ右側上仕切壁２２０ｄと後外壁２２０ｃとの間の前後幅寸法よりも短寸であるＤ４に形成されている。このため、突出部２２５の後端部と後外壁２２０ｃとの間の前後幅寸法Ｄ５は、後壁２０４ｃの板厚Ｄ３よりも長寸である（Ｄ５＞Ｄ３）。尚、後外壁２２０ｃと右側上仕切壁２２０ｄとの間の前後幅寸法（Ｄ４＋Ｄ５）は、遊技球の直径Ｒよりも長寸である（Ｄ４＋Ｄ５＞Ｒ）。
【００９８】
右側下仕切壁２２１ｃは、後端部が垂直方向を向くように形成されており、下部にかけて前方に向けて下方に傾斜する湾曲傾斜面を有している。また、右側下仕切壁２２１ｃの前端下部には、下方に向けて膨出する膨出部２２６が形成され、該膨出部２２６には、左方に向けて開口する嵌合凹部２２６ａが形成されており、ベース体２０４とカバー体２２０が一体となることで前述した嵌合突起２１１が嵌合するようになっている。
【００９９】
図９及び図１４（Ａ）に示すように、右壁２２０ａの左側面における右側下仕切壁２２１ｃの上方には、左方に向けて開口する溝部２２７が形成されている。該溝部２２７は、右側下仕切壁２２１ｃに沿って延設され、前述した突条２１０を遊技球の流下方向の全長に亘って係合（嵌合）可能に形成されている。また、溝部２２７の左上部には、下方から上方に向けて左方に傾斜を成す傾斜面２２７ａが形成されている。
【０１００】
また、右壁２２０ａの左側面には、球抜き通路２０１における遊技球の流下方向の略全長に亘って左方に向けて開口する溝部２２８が形成されている。該溝部２２８は、図９に示すように、後外壁２２０ｃ、曲壁２２１ｄ及び下外壁２２１ｂの払出通路２００側にこれら後外壁２２０ｃ、曲壁２２１ｄ及び下外壁２２１ｂに沿って延設されている。特に、垂直部２０２内においては、溝部２２８は、突出部２２５と後外壁２２０ｃとの間に形成されている。また、溝部２２８には、右方から左方に向けて遊技球通路ユニット６６の内方（後外壁２２０ｃに形成されている溝部２２８であれば前方、下外壁２２１ｂに形成されている突条であれば上）に傾斜を成す傾斜面２２８ａが形成されている。
【０１０１】
次に、ベース体２０４に対するカバー体２２０の組合せについて説明する。先ず、図７に示すように、ベース体２０４の左壁２０４ａの右側面とカバー体２２０の右壁２２０ａの左側面とを対向させた状態で、ベース体２０４に対してカバー体２２０を右方から近接させて、互いに突き合せる。そして、図６及び図７に示すように、カバー体２２０の右壁２２０ａに複数設けられた取付孔２１４に取付けた複数のネジＮ１をベース体２０４に設けられたネジ孔２１３に螺入することで、ベース体２０４とカバー体２２０とを組合せる。
【０１０２】
ベース体２０４とカバー体２２０とを組合せることで、図１５に示すように、ベース体２０４の左側前壁２０４ｂとカバー体２２０の右側前壁２２０ｂ、ベース体２０４の左側上仕切壁２０４ｄとカバー体２２０の右側上仕切壁２２０ｄとが突き合わされ、図１２（Ａ）（Ｂ）に示すように、ベース体２０４の左側上壁２０３ａとカバー体２２０の右側上壁２２１ａとが突き合わされ、ベース体２０４の左側下仕切壁２０３ｃとカバー体２２０の右側下仕切壁２２１ｃとが並設されることで、払出通路２００が構成される。
【０１０３】
また、図１５に示すように、ベース体２０４の後壁２０４ｃとカバー体２２０の後外壁２２０ｃとが並設され、ベース体２０４の左側上仕切壁２０４ｄとカバー体２２０の右側上仕切壁２２０ｄとが突き合わされ、図１２（Ａ）（Ｂ）に示すように、ベース体２０４の下壁２０３ｂとカバー体２２０の下外壁２２１ｂ、曲壁２２１ｄとが並設されることで、球抜き通路２０１が構成される。
【０１０４】
また、このようにベース体２０４に対してカバー体２２０を突き合せる際には、まず、図１３（Ｃ）に示すように、左側片２２４ｃの傾斜面２２４ｇに係止爪２０８の右端部が当接することで、被係止部２２４が上方に向けて弾性変形するとともに、係止爪２０８及び左側上壁２０３ａが下方に向けて弾性変形し、係止爪２０８が被係止部２２４の下方に誘導される。
【０１０５】
次いで、図１３（Ｄ）に示すように、係止爪２０８の上面を左側片２２４ｃが左側へ向けて摺動した後、左側片２２４ｃが係止爪２０８を乗り越えて該係止爪２０８の左端部に係合するとともに、図１３（Ｅ）に示すように、係止爪２０８の傾斜面２０８ａが右側片２２４ｄの傾斜面２２４ｈに摺接することで係止爪２０８の右端部が右側片２２４ｄの上面に誘導される。つまり、係止爪２０８が挿通孔２２４ｅに差し込まれる。
【０１０６】
つまり、係止爪２０８が被係止部２２４に係止されることによって、ベース体２０４からのカバー体２２０の離脱が規制され、組合された状態で仮固定される。また、係止爪２０８と被係止部２２４との係止状態において、係止爪２０８及び被係止部２２４双方が弾性変形していることで、係止爪２０８と被係止部２２４とのうち一方が弾性復帰力により他方に圧接されるため、係止状態が解除されにくくなる。
【０１０７】
また、図１１及び図１２（Ａ）に示すように、ベース体２０４に対してカバー体２２０を組合せると、嵌合突起２１１が左方から嵌合凹部２２６ａに嵌合する。このとき、嵌合突起２１１と嵌合凹部２２６ａとが球抜き通路２０１と払出通路２００との間において嵌合することで、ベース体２０４に対するカバー体２２０の組合せ位置が決定される。
【０１０８】
また、延設部２０３における右側下仕切壁２２１ｃの後端部は、複数の突出部２０９のうち下端部に形成されている突出部２０９ａの前端部と左側上仕切壁２０４ｄとの間に配置される。つまり、右側下仕切壁２２１ｃは、左側下仕切壁２０３ｃの球抜き通路２０１側に配置される。また、配置された状態において、左側下仕切壁２０３ｃの後端部の背面に形成されている複数のリブ２０４ｆの先端部が右側下仕切壁２２１ｃに近接することで、左側下仕切壁２０３ｃは、複数のリブ２０４ｆと右側下仕切壁２２１ｃによって強度が補強されるため、払出通路２００における垂直部２０２内を流下してきた遊技球が衝突しても破損してしまうことが防止されている。尚、図８に示すように、膨出部２２６は、嵌合突起２１１が嵌合凹部２２６ａに嵌合することで、延設部２０３内における球抜き通路２０１の最下流部に配置される。
【０１０９】
また、ベース体２０４に対してカバー体２２０を組合せることで、図１２（Ａ）及び図１４（Ａ）〜図１４（Ｃ）に示すように、カバー体２２０における後外壁２２０ｃ、曲壁２２１ｄ及び下外壁２２１ｂが、下壁２０３ｂ及び後壁２０４ｃよりも遊技球通路ユニット６６の外側において下壁２０３ｂ及び後壁２０４ｃに近接して配置される。
【０１１０】
尚、本実施例では、ベース体２０４に対してカバー体２２０を組合せることで、後外壁２２０ｃ、曲壁２２１ｄ及び下外壁２２１ｂが、下壁２０３ｂ及び後壁２０４ｃよりも遊技球通路ユニット６６の外側において下壁２０３ｂ及び後壁２０４ｃに近接して配置される形態を例示しているが本発明はこれに限定されるものではなく、これら後外壁２２０ｃ、曲壁２２１ｄ及び下外壁２２１ｂは、ベース体２０４に対してカバー体２２０を組合せることで、下壁２０３ｂ及び後壁２０４ｃよりも遊技球通路ユニット６６の外側において下壁２０３ｂ及び後壁２０４ｃに当接して配置されても良い。
【０１１１】
また、曲壁２２１ｄは、下壁２０３ｂよりも遊技球通路ユニット６６の外側に配置されることで、遊技球通路ユニット６６の外側から下壁２０３ｂに当接する。このため、下壁２０３ｂは、曲壁２２１ｄによって強度が補強されるようになっており、球抜き通路２０１における垂直部２０２内を流下してきた遊技球が衝突しても破損してしまうことが防止されている。
【０１１２】
また、図１４（Ａ）〜図１４（Ｃ）に示すように、ベース体２０４に対してカバー体２２０を組合せることで、ベース体２０４の後壁２０４ｃ及び下壁２０３ｂの先端部に形成された突条２１２が、カバー体２２０の右壁２２０ａに形成された溝部２２８に係合する。このとき、後壁２０４ｃ及び下壁２０３ｂは、傾斜面２１２ａが傾斜面２２８ａに摺接することにより、後壁２０４ｃ及び下壁２０３ｂの先端部が、球抜き通路２０１の外側である下外壁２２１ｂ及び後外壁２２０ｃに向けて傾斜するように誘導される。また、傾斜面２１２ａが傾斜面２２８ａに摺接することにより、後外壁２２０ｃと後壁２０４ｃとが近接するとともに、下外壁２２１ｂと下壁２０３ｂとが近接する。
【０１１３】
このため、突条２１２が溝部２２８に係合された後の幅寸法Ｌ２は、係合される前の下壁２０３ｂと嵌合突起２１１との間及び後壁２０４ｃと左側上仕切壁２０４ｄとの間の幅寸法Ｌ１及び遊技球の直径Ｒよりも長寸となる（Ｌ２＞Ｌ１、Ｌ２＞Ｒ）。そして、下壁２０３ｂ及び後壁２０４ｃの先端部である突条２１２は、下壁２０３ｂと嵌合突起２１１との間、後壁２０４ｃと左側上仕切壁２０４ｄとの間の幅寸法がＬ２に拡張された状態で保持される。
【０１１４】
尚、図１５に示すように、後壁２０４ｃの板厚Ｄ３は突出部２２５の後端部と後外壁２２０ｃとの間の前後幅寸法Ｄ５よりも短寸に形成されているため、ベース体２０４をカバー体２２０に組合せる際、突条２１２を突出部２２５に接触させること無くスムーズに溝部２２８に係合させることが可能となっている。
【０１１５】
また、ベース体２０４に対してカバー体２２０を組合せることで、図１２（Ａ）及び図１４（Ａ）に示すように、ベース体２０４の左側下仕切壁２０３ｃの先端部に形成された突条２１０が、カバー体２２０の右壁２２０ａに形成された溝部２２７に係合する。このとき、突条２１０が形成されている左側下仕切壁２０３ｃは、傾斜面２１０ａが傾斜面２２７ａに対して摺接することにより右側下仕切壁２２１ｃ側に向けて傾斜するように誘導される。このため、左側上壁２０３ａと左側下仕切壁２０３ｃとの間の幅寸法Ｌ４は、突条２１０が溝部２２７に係合することで、突条２１０が溝部２２７に係合される前の幅寸法Ｌ３及び遊技球の直径Ｒよりも長寸となる（Ｌ４＞Ｌ３、Ｌ４＞Ｒ）。
【０１１６】
このように、ベース体２０４とカバー体２２０とを組合せることで、遊技球通路ユニット６６内に払出通路２００と球抜き通路２０１とが構成される。詳しくは、払出通路２００は、右側面が右壁２２０ａ、左側面が左壁２０４ａ、垂直部２０２における前面が左側前壁２０４ｂ及び右側前壁２２０ｂ、後面が左側上仕切壁２０４ｄ及び右側上仕切壁２２０ｄ、延設部２０３における上面が左側上壁２０３ａ及び右側上壁２２１ａ、下面が左側下仕切壁２０３ｃにて構成される。一方、球抜き通路２０１は、右側面が右壁２２０ａ、左側面が左壁２０４ａ、垂直部２０２における前面が左側上仕切壁２０４ｄ、後面が後壁２０４ｃ、延設部２０３における上面が右側下仕切壁２２１ｃ、下面が下壁２０３ｂにて構成される。
【０１１７】
図１６（Ａ）及び図１６（Ｂ）に示すように、ベース体２０４に対してカバー体２２０を組合せることで、垂直部２０２における球抜き通路２０１内には、左壁２０４ａに形成された複数の突出部２０９と、左壁２０４ａに対向する右壁２２０ａに形成された複数の突出部２２５とが、遊技球Ｐの流下方向である上下方向に向けて交互に配置される。これら突出部２０９と右壁２２０ａとの間の左右幅寸法Ｍ１と、突出部２２５と左壁２０４ａとの間の左右幅寸法Ｍ２は、遊技球Ｐの直径Ｒよりも長寸とされている（Ｍ１＞Ｒ、Ｍ２＞Ｒ）。また、突出部２０９と突出部２２５との間の左右方向の離間幅寸法Ｍ３は、遊技球Ｐの直径Ｒよりも短寸に形成されている（Ｍ３＞Ｒ）。このため、遊技球Ｐは、球抜き通路２０１内をいずれの突出部２０９にも衝突すること無く流下することが不可能となっている。
【０１１８】
更に、突出部２０９の左端部と突出部２２５の右端部との間の離間幅寸法Ｍ４は、遊技球Ｐの直径Ｒよりも長寸に形成されている（Ｍ４＞Ｒ）。つまり、球抜き通路２０１内を流下する遊技球Ｐは、全ての突出部２０９，２２５に交互に衝突しながら垂直部２０２における球抜き通路２０１内を流下していくようになっている。このため、球抜き通路２０１内を流下する遊技球Ｐは、突出部２０９，２２５に衝突する毎に流下速度が減速され、これにより球抜き通路２０１を構成する壁面に衝突した際の衝撃が緩和されるため、遊技球Ｐが球抜き通路２０１を構成する壁面に衝突することにより遊技球通路ユニット６６が破損してしまうことを抑制できる。特に、垂直部２０２内を流下してきた遊技球Ｐは、曲部において方向変換する際に下壁２０３ｂに衝突するが、下壁２０３ｂは、曲壁２２１ｄによって強度が補強されているため、遊技球Ｐの減速と下壁２０３ｂの補強の相乗効果により、遊技球が下壁２０３ｂに衝突することによる下壁２０３ｂの破損がより抑制される。
【０１１９】
また、図１７に示すように、垂直部２０２における球抜き通路２０１内を流下してきた遊技球Ｐは、延設部２０３における下壁２０３ｂに段部が設けられていることで、膨出部２２６に衝突して更に流下速度が減速された後、パチンコ遊技機１の背面側下部に設けられた図示しない誘導路を流下して排出部から遊技機外へ排出される。以上のように、球抜き通路２０１内を流下する遊技球Ｐは、垂直部２０２における複数の突出部２０９，２２５との衝突と、延設部２０３における膨出部２２６との衝突により流下速度が減速されるため、遊技球通路ユニット６６から前記排出部までに設けられている誘導路や排出部を構成する壁部に遊技球が衝突することにより、これら誘導路及び排出部が破損してしまうことが防止されている。
【０１２０】
以上説明したように、本発明の実施例としてのパチンコ遊技機１にあっては、遊技球Ｐを誘導する経路である球抜き通路２０１及び払出通路２００それぞれの少なくとも一面（例えば、払出通路２００の左側面、球抜き通路２０１の左側面）を形成する第１経路部材としてのベース体２０４と、経路の少なくとも他面（例えば、払出通路２００の右側面、球抜き通路２０１の右側面）を形成する第２経路部材としてのカバー体２２０と、を組合せることにより構成され、ベース体２０４は、前記一面を形成する第１壁部（例えば払出通路２００及び球抜き通路２０１の左側面を形成する左壁２０４ａ）に立設された立壁部（例えば、左側上壁２０３ａ、左側下仕切壁２０３ｃ、下壁２０３ｂ及び後壁２０４ｃ）と、前記立壁部の先端部に形成された係合部（例えば、係止爪２０８、突条２１０、突条２１２）と、を有し、カバー体２２０は、前記他面を形成する第２壁部（例えば、球抜き通路２０１の右側面を形成する右壁２２０ａ）に形成された被係合部（例えば、被係止部２２４、溝部２２７、溝部２２８）を有する。
【０１２１】
そして、右側上壁２２１ａに形成された被係止部２２４は、ベース体２０４とカバー体２２０とを組合せることにより左側上壁２０３ａの先端部に形成された係止爪２０８が係合することで、左側上壁２０３ａの先端部を保持する（図１２（Ａ）参照）。また、右壁２２０ａに形成された溝部２２７は、ベース体２０４とカバー体２２０とを組合せることにより左側下仕切壁２０３ｃの先端部に形成された突条２１０が係合することで、左側下仕切壁２０３ｃの先端部を保持する（図１２（Ａ）参照）。また、右壁２２０ａに形成された溝部２２８は、ベース体２０４とカバー体２２０とを組合せることにより後壁２０４ｃ及び下壁２０３ｂの先端部に形成された突条２１２が係合することで、後壁２０４ｃ及び下壁２０３ｂの先端部を保持する（図１２（Ａ）（Ｂ）、図１５参照）。
【０１２２】
すなわち、ベース体２０４とカバー体２２０とを組合せることにより、ベース体２０４の左壁２０４ａに立設された各立壁部（例えば、左側上壁２０３ａ、左側下仕切壁２０３ｃ、下壁２０３ｂ及び後壁２０４ｃ）の先端部（右端部）が、カバー体２２０の右壁２２０ａの上端部や溝部２２７、溝部２２８に係合して右壁２２０ａに保持されるため、ベース体２０４の成形誤差や立壁部の変形などによる立壁部の先端部側の球抜き通路２０１の内側への傾倒により、球抜き通路２０１の内寸法を確保できなくなること等を抑制できる。
【０１２３】
詳しくは、例えば、図１４（Ａ）に示すように、突条２１２が溝部２２８に係合される前の下壁２０３ｂと嵌合突起２１１との間及び後壁２０４ｃと左側上仕切壁２０４ｄとの間の幅寸法Ｌ１が、ベース体２０４の成形誤差や立壁部の変形などにより狭くなっている場合でも、ベース体２０４とカバー体２２０とを組合せることにより、突条２１２が溝部２２８に係合されることで幅寸法Ｌ２に拡張されるため、球抜き通路２０１の内寸法が確保される。
【０１２４】
また、突条２１２が溝部２２８に係合されることで、下壁２０３ｂ及び後壁２０４ｃの先端部（右端部）が、カバー体２２０の右壁２２０ａに保持されることで、ベース体２０４とカバー体２２０とを組合せた後においてベース体２０４が変形しても、下壁２０３ｂや後壁２０４ｃの先端部が通路側に傾倒することがないので、球抜き通路２０１の内寸法が確保される。
【０１２５】
また、本実施例では、先端部がカバー体２２０の右壁２２０ａに係合して保持される立壁部の一例として、払出通路２００や球抜き通路２０１を構成する左側上壁２０３ａ、左側下仕切壁２０３ｃ、下壁２０３ｂ及び後壁２０４ｃを例示したが、本発明はこれに限定されるものではなく、これら以外の立壁部もカバー体２２０の右壁２２０ａに係合して保持されるようになっていてもよい。つまり、左壁２０４ａに立設される立壁部の全ての先端部がカバー体２２０の右壁２２０ａに係合して保持されるようにしてもよいし、本実施例のように、部分的に設けられていてもよい。
【０１２６】
また、本実施例では、ベース体２０４の左壁２０４ａに立設される立壁部の先端部が、カバー体２２０の右壁２２０ａの溝部に係合して保持されるようになっていたが、本発明はこれに限定されるものではなく、カバー体２２０の右壁２２０ａに立設される立壁部の先端部が、ベース体２０４の左壁２０４ａの溝部に係合して保持されるようにしてもよい。
【０１２７】
また、ベース体２０４の左壁２０４ａに立設される立壁部の先端部がカバー体２２０の右壁２２０ａの溝部に係合して保持される構成は、払出通路２００や球抜き通路２０１における互いに対向する２つの立壁部（例えば、前後または上下の立壁部）に適用してもよいし、互いに対向する２つの立壁部のうちいずれか一方にのみ適用してもよい。
【０１２８】
また、被係合部（被係止部２２４、溝部２２７、溝部２２８）は、ベース体２０４とカバー体２２０とを組合せる際に立壁部（例えば、左側上壁２０３ａ、左側下仕切壁２０３ｃ、下壁２０３ｂ及び後壁２０４ｃ）の先端部を前記経路の外側へ誘導して、係合部（例えば、係止爪２０８、突条２１０、突条２１２）を前記被係合部に係合させる傾斜誘導部（例えば、傾斜面２２４ｈ、傾斜面２２７ａ、傾斜面２２８ａ）を有することで、ベース体２０４とカバー体２２０とを組合せる際に、成形誤差や立壁部の変形などにより立壁部の先端部側が経路の内側に傾倒している、つまり、被係合部に対し係合部がずれていても、傾斜誘導部（例えば、傾斜面２２４ｈ、傾斜面２２７ａ、傾斜面２２８ａ）により立壁部の先端部を経路の外側へ誘導してスムーズに係合部を被係合部に係合させることができる。
【０１２９】
尚、本実施例では、被係合部（被係止部２２４、溝部２２７、溝部２２８）に係合部（例えば、係止爪２０８、突条２１０、突条２１２）を誘導する傾斜誘導部（例えば、傾斜面２２４ｈ、傾斜面２２７ａ、傾斜面２２８ａ）が形成されているだけでなく、係合部にも傾斜誘導面（例えば、傾斜面２０８ａ、傾斜面２１２ａ、傾斜面２１０ａ）が形成されていることで、より立壁部の先端部を経路の外側へ誘導してスムーズに係合部を被係合部に係合させることができる。
【０１３０】
また、本実施例では、被係合部（被係止部２２４、溝部２２７、溝部２２８）及び係合部（例えば、係止爪２０８、突条２１０、突条２１２）の双方に傾斜誘導面が形成されていたが、本発明はこれに限定されるものではなく、被係合部と係合部とのうち少なくとも一方に傾斜誘導面が形成されていてもよい。
【０１３１】
また、係合部は、立壁部（例えば、左側上壁２０３ａ、左側下仕切壁２０３ｃ、下壁２０３ｂ及び後壁２０４ｃ）に沿って延設された突条２１０、突条２１２であることで、被係合部（被係止部２２４、溝部２２７、溝部２２８）は、立壁部の先端部を長手方向に沿って保持することができる。
【０１３２】
また、係合部は、立壁部としての左側上壁２０３ａの外側から該立壁部の立設方向へ延設され先端部より突出する突出片としての係止爪２０８であり、被係合部は、右壁２２０ａの上端部であり、係止爪２０８は、ベース体２０４とカバー体２２０とを組合せる際に右壁２２０ａの上端部に係合する（図１２（Ａ）、図１３（Ｅ）参照）ことで、ベース体２０４とカバー体２２０とを組合せることにより、係止爪２０８が右壁２２０ａの上端部に係合するため、左側上壁２０３ａの先端部側が経路の内側に傾倒することを規制できる。つまり、係合部は、右壁２２０ａの左側面に形成された溝部等だけでなく、右壁２２０ａの端部等の被係合部係合するようにしてもよい。
【０１３３】
また、被係合部は、第２壁部（例えば、球抜き通路２０１の右側面を形成する右壁２２０ａ）に形成された凹溝としての溝部２２７、溝部２２８であり、溝部２２７、溝部２２８の外側には第２立壁部（例えば、右側下仕切壁２２１ｃ、後外壁２２０ｃや下外壁２２１ｂ）が立設されており、該第２立壁部は、ベース体２０４に対してカバー体２２０を組合せることで、後外壁２２０ｃが後壁２０４ｃに沿って該後壁２０４ｃの外側に近接する（図１５参照）。また、下外壁２２１ｂが下壁２０３ｂに沿って該下壁２０３ｂの外側に近接する（図１２（Ａ）参照）ことで、第２立壁部が立壁部に沿って当接または近接することで立壁部が補強されるため、破損しにくくなる。
【０１３４】
また、本発明の実施例としてのパチンコ遊技機１にあっては、遊技球Ｐを流下させ遊技機外へ排出する遊技媒体抜き経路としての球抜き通路２０１を備え、球抜き通路２０１は、該球抜き通路２０１の一面である左壁２０４ａの右側面に設けられた第１突起部としての突出部２０９と、左壁２０４ａの右側面に対向する他面である右壁２２０ａの左側面に設けられた第２突起部としての突出部２２５と、を有し、垂直部２０２における球抜き通路２０１内において、突出部２０９と突出部２２５とは、遊技球Ｐの流下方向である上下方向に交互に配置される（図１６（Ａ）参照）ことで、遊技球Ｐは、突出部２０９と突出部２２５とに交互に衝突し蛇行しながら流下することで流下速度が抑制されるため、球抜き通路２０１や該球抜き通路２０１より下流側の経路を形成する経路部材が遊技球Ｐの衝突により破損することが防止される。
【０１３５】
また、突出部２０９と突出部２２５とのうち少なくとも一方は、垂直部２０２における球抜き通路２０１の前後幅方向に長寸に形成されていることで、流下する遊技球Ｐが球抜き通路２０１の前後幅方向のいずれの位置を通過する場合でも突出部２０９と突出部２２５とに衝突しやすくなる。
【０１３６】
尚、本実施例では、突出部２０９及び突出部２２５の双方が球抜き通路２０１の前後幅方向に長寸に形成されていたが、本発明はこれに限定されるものではなく、突出部２０９と突出部２２５とのうち一方のみが球抜き通路２０１の前後幅方向に長寸に形成されていてもよい。
【０１３７】
また、左壁２０４ａの右側面と右壁２２０ａの左側面とのうち少なくとも一方は、導電性部材（例えば、ポリアセチレン、ポリピロール、ポリチオフェン等の導電性を有する樹脂材）により形成されていることで、遊技球Ｐとの接触により生じる静電気を好適に除去できる。
【０１３８】
また、球抜き通路２０１は、ベース体２０４とカバー体２２０とを組合せることにより構成され、ベース体２０４は、第１壁部としての左壁２０４ａに立設された立壁部としての後壁２０４ｃを有することで、ベース体２０４とカバー体２２０との破損を抑制することができる。
【０１３９】
また、ベース体２０４は、球抜き通路２０１の左壁２０４ａに立設された第１立壁部（例えば、後壁２０４ｃ、下壁２０３ｂ、左側下仕切壁２０３ｃ）を有し、カバー体２２０は、球抜き通路２０１の右壁２２０ａに立設された第２立壁部（例えば、後外壁２２０ｃ、下外壁２２１ｂ、右側下仕切壁２２１ｃ）を有し、突出部２０９と突出部２２５とは、球抜き通路２０１の曲部より上流側に設けられ、曲部においては、ベース体２０４とカバー体２２０とを組合せることにより第１立壁部に沿って第２立壁部が近接する（例えば、曲壁２２１ｄは、下壁２０３ｂよりも遊技球通路ユニット６６の外側に配置されることで、遊技球通路ユニット６６の外側から下壁２０３ｂに当接する）。このようにすることで、第１立壁部が補強されるため、曲部において第１立壁部と第２立壁部とが破損しにくくなる。
【０１４０】
また、突出部２２５が溝部２２８を避けるように設けられていることで、ベース体２０４にカバー体２２０を組合せるときに、突出部２２５が左側下仕切壁２０３ｃ、下壁２０３ｂ及び後壁２０４ｃの先端部に形成されている突条２１２が突出部２２５に当接することで溝部２２８に係合せず、カバー体２２０を組合せることができなくなったり、突条２１２が突出部２２５に当接したまま無理やりカバー体２２０を組合せることで、突条２１２や突出部２２５が破損してしまうことを防止することができる。
【０１４１】
以上、本発明の実施例を図面により説明してきたが、具体的な構成はこれら実施例に限られるものではなく、本発明の要旨を逸脱しない範囲における変更や追加があっても本発明に含まれる。
【０１４２】
例えば、前記実施例では、右壁２２０ａに、球抜き通路２０１における遊技球Ｐの流下方向の略全長に亘って溝部２２８を形成するとともに、後壁２０４ｃ及び下壁２０３ｂの右端部に、球抜き通路２０１における遊技球の流下方向の略全長に亘って突条２１２を形成する形態を例示したが、本発明はこれに限定されるものではなく、これら溝部２２８と突条２１２との少なくともいずれか一方は、球抜き通路２０１における遊技球の流下方向の略全長に亘って形成されていなくとも良い。
【０１４３】
具体的には、変形例１として図１８（Ａ）及び図１８（Ｂ）に示すように、右壁２２０ａには、上端部を除き溝部２２８を形成するとともに、後壁２０４ｃ及び下壁２０３ｂには、後壁２０４ｃの上端部を除き突条２１２を形成する。このように右壁２２０ａの上端部に溝部２２８を形成しないとともに、後壁２０４ｃの上端部に突条２１２を形成しないようにすることで、ベース体２０４にカバー体２２０を組付けた状態において、後壁２０４ｃの上端部が前後方向に僅かに揺動可能となる。
【０１４４】
図１８（Ａ）に示すように、後壁２０４ｃの上端部は、上方に配設される払出装置６３の通路壁の下端部と接続される通路の継ぎ目となることで、成形精度や組付誤差等により、継ぎ目において払出装置６３の通路壁との間に段部等が形成されてしまうことがある。このような場合、例えば、払出装置６３から流下してくる遊技球Ｐが球抜き通路２０１に進入する際に、払出装置６３の通路壁の下端部より後壁２０４ｃの上端部が通路側に突出していると、遊技球Ｐが後壁２０４ｃの上端部に衝突することになる。しかし、後壁２０４ｃの上端部は、前後方向に僅かに振動可能であり、これにより遊技球Ｐの衝突による衝撃を緩和することが可能となるので、遊技球Ｐの衝撃により通路の継ぎ目となる後壁２０４ｃの上端部が破損してしまうことを防ぐことができる。
【０１４５】
また、溝部２２８は、球抜き通路２０１における遊技球の流下方向の略全長に亘って右壁２２０ａに形成されている一方で、突条２１２は、後壁２０４ｃ及び下壁２０３ｂの右端部のいずれか一部において形成されていなくとも良い。特にこの場合は、変形例２として図１９に示すように、下壁２０３ｂの後右端部に突条２１２を所定間隔毎に部分的に形成するようにしても良い。この場合は、下壁２０３ｂの後端部における突条２１２，２１２間は、該突条２１２が形成されていない欠落部２３０を構成している。このようにすることで、ベース体２０４に対してカバー体２２０を組合せる際に、成型精度などにより突条２１２が溝部２２８に係合されにくくなることを防止できる。
【０１４６】
また、係合部と被係合部とは、長手方向に延設される突条２１２と溝部２２８等に限定されるものではなく、部分的に突設された複数の凸部と凹部とにより構成されていてもよい。
【０１４７】
また、曲部などにおいては、下壁２０３ｂの突条２１２が長手方向に連続して形成されていると、溝部２２８に係合される際に下壁２０３ｂの先端部が通路の外側へ傾倒しにくくなるので、部分的に形成することにより下壁２０３ｂが通路の外側へ傾倒しやすくすることができる。
【０１４８】
尚、変形例２において、溝部２２８は球抜き通路２０１における遊技球Ｐの流下方向の略全長に亘って右壁２２０ａに形成されているが、本発明はこれに限定されるものではなく、溝部２２８は、ベース体２０４に対してカバー体２２０を組合せる際に右壁２２０ａにおける突条２１２が係合される位置のみに形成されていても良い。つまり、欠落部２３０に対応する位置に溝部２２８は形成されていなくてもよい。
【０１４９】
また、前記実施例では、遊技球通路ユニット６６に払出通路２００と球抜き通路２０１の２つの通路を形成する形態を例示したが、本発明はこれに限定されるものではなく、払出通路２００と球抜き通路２０１とのうち少なくとも一方の通路のみが形成されていてもよいし、あるいは、上記２つの通路以外の通路が形成されていてもよい。
【０１５０】
また、本実施例では、遊技球通路ユニット６６の払出通路２００と球抜き通路２０１とに、本発明の被係合部は、ベース体２０４とカバー体２２０とを組合せることにより係合部が係合することで立壁部の先端部を保持する構成を適用する形態を例示したが、本発明はこれに限定されるものではなく、パチンコ遊技機１における払出通路２００と球抜き通路２０１以外の経路（例えば、遊技領域に設けられた各種入賞口に入賞した遊技球やいずれの入賞口に入賞することなくアウト口に進入した遊技球等を遊技機外へ誘導する経路や、打球供給皿９０の遊技球を発射装置まで誘導する経路や、発射装置により発射されたものの遊技領域に到達せずに戻ってきた遊技球を誘導するファール球通路等）に上記構成を適用してもよい。
【０１５１】
また、前記実施例では、遊技球Ｐを誘導する経路の一例として、パチンコ遊技機１に設けられる払出通路２００や球抜き通路２０１を例示したが、本発明はこれに限定されるものではなく、パチンコ遊技機１が設置される遊技島や、パチンコ遊技機１に隣接して設置される各台計数機や遊技媒体の貸出装置（例えば、カードユニット）等の遊技用装置に設けられる遊技球の誘導経路であっても良い。
【０１５２】
具体的には、遊技島であれば、各遊技機へ遊技球を供給する補給経路や遊技機から排出された遊技球を回収する回収経路、揚送経路や、各遊技島間で遊技球を送受する送受経路等を含む。また、各台計数機であれば、遊技機から排出された遊技球を計数して遊技島内へ誘導する経路、遊技媒体の貸出装置であれば、補給された遊技球を遊技機へ払い出す経路等を含む。さらに、遊技機や遊技用装置以外の装置（例えば、遊技球の研磨装置など）に設けられる経路等を含む。
【０１５３】
また、前記実施例では、パチンコ遊技機１の遊技球Ｐをパチンコ遊技機外へ排出するための球抜き通路２０１を例示したが、本発明はこれに限定されるものではなく、本発明の第１突起部と第２突起部とを遊技球Ｐの流下方向に向けて交互に設ける構成を、上記遊技用装置や遊技用装置以外の装置（例えば、遊技球の研磨装置など）以外の装置外へ遊技球Ｐを排出する遊技媒体抜き経路として適用してもよい。
【０１５４】
また、前記実施例では、突条２１２が溝部２２８に係合された後の幅寸法Ｌ２は、係合される前の下壁２０３ｂと嵌合突起２１１との間及び後壁２０４ｃと左側上仕切壁２０４ｄとの間の幅寸法Ｌ１及び遊技球の直径Ｒよりも長寸となり、左側上壁２０３ａと左側下仕切壁２０３ｃとの間の幅寸法Ｌ４は、突条２１０が溝部２２７に係合することで、突条２１０が溝部２２７に係合される前の幅寸法Ｌ３及び遊技球の直径Ｒよりも長寸となる形態を例示したが、本発明はこれに限定されるものではなく、幅寸法Ｌ１、Ｌ３は、突条２１２，２１０が溝部２２８，２２７に保持されれば、必ずしも通路の外側へ拡張されなくても良い。つまり、ベース体２０４とカバー体２２０とを組合せたときに、突条２１２，２１０が溝部２２８，２２７に保持されるだけでもよい。
【０１５５】
また、前記実施例では、垂直部２０２内における球抜き通路２０１内において、突出部２０９と突出部２２５とを球抜き通路２０１の前後幅方向に長寸に形成する形態を例示したが、本発明はこれに限定されるものではなく、突出部２０９と突出部２２５のうち、一方の突出部のみを球抜き通路２０１の前後幅方向に長寸に形成する一方で、他方の突出部を点状や遊技球の流下方向に長寸に形成するようにしても良い。また、突出部２０９と突出部２２５の双方を点状や遊技球の流下方向に長寸に形成するようにしても良い。
【０１５６】
また、前記実施例では、突出部２０９と突出部２２５とを、垂直部２０２における球抜き通路２０１の左側面と右側面とに形成する形態を例示したが、本発明はこれに限定されるものではなく、突出部２０９と突出部２２５とは、垂直部２０２における球抜き通路２０１の前面と後面とに形成してもよい。
【０１５７】
また、前記実施例では、突出部２０９と突出部２２５とを、垂直部２０２における球抜き通路２０１の左側面と右側面とに形成する形態を例示したが、本発明はこれに限定されるものではなく、突出部２０９と突出部２２５とは、延設部２０３における球抜き通路２０１の左側面と右側面とに形成してもよい。また、垂直部２０２及び延設部２０３双方に形成してもよい。
【０１５８】
また、前記実施例では、遊技球を打球発射装置により遊技領域よりも下方から打ち出す形態を例示したが、本発明はこれに限定されるものではなく、例えば、前記打球発射装置をパチンコ遊技機１における遊技領域の上方位置に設けることによって、遊技球を遊技領域の上方位置から打ち出すようにしても良い。
【０１５９】
また、前記実施例では、始動入賞口を、第１始動入賞口と第２始動入賞口の２つとした形態を例示しているが、本発明はこれに限定されるものではなく、始動入賞口を１つのみとしても良いし、始動入賞口を３以上としても良い。
【０１６０】
また、前記実施例では、特別図柄を、第１特図と第２特図の２つとした形態を例示しているが、本発明はこれに限定されるものではなく、特別図柄を１つのみとしても良いし、特別図柄を３以上としても良い。
【０１６１】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な演出表示装置に変動表示結果が導出されることにより１ゲームが終了し、該演出表示装置に導出された変動表示結果に応じて入賞が発生可能とされたスロットマシンにも適用可能である。尚、本発明をスロットマシンに適用する場合は、遊技球通路ユニット６６内を流下する遊技媒体を、遊技球に替えてメダルとすれば良い。
【符号の説明】
【０１６２】
１                パチンコ遊技機
２０１            球抜き通路
２０４            ベース体
２０４ａ          左壁
２０４ｃ          後壁
２０４ｄ          左側上仕切壁
２０９            突出部
２１２            突条
２２０            カバー体
２２０ａ          右壁
２２５            突出部
２２８            溝部
２２８ａ          傾斜面
【図１】
0006566636.tif 000002
【図２】
0006566636.tif 000003
【図３】
0006566636.tif 000004
【図４】
0006566636.tif 000005
【図５】
0006566636.tif 000006
【図６】
0006566636.tif 000007
【図７】
0006566636.tif 000008
【図８】
0006566636.tif 000009
【図９】
0006566636.tif 000010
【図１０】
0006566636.tif 000011
【図１１】
0006566636.tif 000012
【図１２】
0006566636.tif 000013
【図１３】
0006566636.tif 000014
【図１４】
0006566636.tif 000015
【図１５】
0006566636.tif 000016
【図１６】
0006566636.tif 000017
【図１７】
0006566636.tif 000018
【図１８】
0006566636.tif 000019
【図１９】
0006566636.tif 000020